(57)【要約】【課題】ＵＳＢポート接続用凸状端子を携帯中の損傷から護るための提案は成されているが、一つのアプリケーションに１台の携帯装置が必要となるために、アプリケーションが複数になった場合に複数の携帯装置を持ち運ぶことになり不便である。【解決手段】前記課題を解決するために、少なくとも外部装置と接続する凸状端子と、小型ＩＣカードを着脱するためのスロットと、移動可能に取りつけられたカバーと、を備えた携帯装置であって、前記小型ＩＣカードを前記スロットに挿入し所定の位置に固定した後、前記カバーを移動させてスロットの入口の一部、または全部を遮蔽すると、前記カバーで覆われていた前記凸状端子が露出し、外部装置と接続可能な状態になる安全カバー付き携帯装置を提供する。【選択図】  図１
2004280639.tif 000002
【特許請求の範囲】
【請求項１】
少なくとも外部装置と接続する凸状端子と、小型ＩＣカードを着脱するためのスロットと、移動可能に取りつけられたカバーと、を備えた携帯装置であって、
前記小型ＩＣカードを前記スロットに挿入し所定の位置に固定した後、前記カバーを移動させてスロットの入口の一部、または全部を遮蔽すると、前記カバーで覆われていた前記凸状端子が露出し、外部装置と接続可能な状態になることを特徴とする安全カバー付き携帯装置。
【請求項２】
少なくとも外部装置と接続する凸状端子と、小型ＩＣカードを着脱するためのスロットと、移動可能に取りつけられたカバーと、を備えた携帯装置であって、
前記小型ＩＣカードを前記スロットに挿入し、小型ＩＣカードが所定の位置に到達すると前記カバーは自動的に移動してスロットの入口の一部、または全部を遮蔽し、前記カバーで覆われていた前記凸状端子が外部装置と接続可能な状態になることを特徴とする安全カバー付き携帯装置。
【請求項３】
少なくとも携帯装置の一部に窓が設けられ、装着されている小型ＩＣカードの内容を携帯装置の外側から確認可能としたことを特徴とする請求項１または２に記載の安全カバー付き携帯装置。
【請求項４】
少なくとも携帯装置の一部が透明材料で構成され、装着されている小型ＩＣカードの内容を携帯装置の外側から確認可能としたことを特徴とする請求項１または２に記載の安全カバー付き携帯装置。
【発明の詳細な説明】
【０００１】
【発明の属する技術分野】
本発明は、ＵＳＢインタフェースを備え、小型ＩＣカードを内蔵した安全カバー付き携帯装置に関する。
【０００２】
【従来の技術】
近年、パーソナルコンピュータ等と、マウスプやリンタ等の周辺装置との接続にＵＳＢ（Ｕｎｉｖｅｒｓａｌ  Ｓｅｒｉａｌ  Ｂｕｓ）インターフェースが広く用いられている。
また、ＵＳＢ接続部は平面状の金属の板で構成され素朴な構造のため、ＵＳＢポート接続用凸状端子にＵＩＭ（Ｕｓｅｒ  Ｉｄｅｎｔｉｔｙ  Ｍｏｄｕｌｅ）カード等小型のＩＣカードを接続して，外部メモリとして使用したり、ＰＫＩ（Ｐｕｂｌｉｃ  Ｋｅｙ  Ｉｎｆｒａｓｔｒｕｃｔｕｒｅ）認証のための公開鍵格納手段として使用されている。
【０００３】
上述のＵＳＢポート接続用凸状端子を備えた携帯装置は、小型で携帯性に優れている上、安価であるという反面、ポケットや、バッグなどに入れて携帯中に露出しているＵＳＢポート接続用凸状端子部分を損傷し易いという課題がある。
そのために携帯装置のＵＳＢポート接続用凸状端子部分の損傷を防ぐために、ＵＳＢポート接続用凸状端子をカバーする技術が開示されている（特許文献１参照）。
【０００４】
【特許文献１】
実用新案登録第３０８６５２５号公報
【０００５】
【発明が解決しようとする課題】
前記技術によってＵＳＢポート接続用凸状端子を携帯中の損傷から護ることはできるが、一つのアプリケーションに１台の携帯装置が必要となるために、アプリケーションが複数になった場合に複数の携帯装置を持ち運ぶことになり不便である。
【０００６】
【課題を解決するための手段】
前記課題を解決するために、本発明の安全カバー付き携帯装置の請求項１に記載の発明は、少なくとも外部装置と接続する凸状端子と、小型ＩＣカードを着脱するためのスロットと、移動可能に取りつけられたカバーと、を備えた携帯装置であって、前記小型ＩＣカードを前記スロットに挿入し所定の位置に固定した後、前記カバーを移動させてスロットの入口の一部、または全部を遮蔽すると、前記カバーで覆われていた前記凸状端子が露出し、外部装置と接続可能な状態になることを特徴とするものである。
【０００７】
また、請求項２に記載の発明は、少なくとも外部装置と接続する凸状端子と、小型ＩＣカードを着脱するためのスロットと、移動可能に取りつけられたカバーと、を備えた携帯装置であって、前記小型ＩＣカードを前記スロットに挿入し、小型ＩＣカードが所定の位置に到達すると前記カバーは自動的に移動してスロットの入口の一部、または全部を遮蔽し、前記カバーで覆われていた前記凸状端子が外部装置と接続可能な状態になることを特徴とするものである。
【０００８】
また、請求項３に記載の発明は、請求項１または、２の発明において、少なくとも携帯装置の一部に窓が設けられ、装着されている小型ＩＣカードの内容を携帯装置の外側から確認可能としたことを特徴とするものである。
【０００９】
また、請求項４に記載の発明は、請求項１または、２の発明において、少なくとも携帯装置の一部が透明材料で構成され、装着されている小型ＩＣカードの内容を携帯装置の外側から確認可能としたことを特徴とするものである。
【００１０】
【発明の実施の形態】
以下図面を参照して本発明の安全カバー付き携帯装置について説明する。
【００１１】
図１は、ＵＩＭカードと、本発明の安全カバー付き携帯装置のＵＳＢポート接続用凸状端子を安全カバーが覆っている状態の一実施形態を示す斜視図、図２は、本発明の安全カバー付き携帯装置のスロットにＵＩＭカードを挿入する前の状態の一実施形態を示す斜視図、図３は、図２の状態から安全カバーが９０度跳ね上がった状態を示す斜視図、図４は、図３の状態から更に進んで、携帯装置へのＵＩＭカードの装着が完了した状態を示す斜視図、図５は、ＵＩＭカードと、本発明の安全カバー付き携帯装置のＵＳＢポート接続用凸状端子を安全カバーが覆っている状態の他の一実施形態を示す斜視図、図６は、図５の安全カバーについて説明するための図、図７は、図５の携帯装置のスロットにＵＩＭカードを挿入する状態を示す斜視図、図８は、図７の状態から更に進んで、携帯装置へのＵＩＭカードの装着が完了した状態を示す斜視図、図９は、図５に示す携帯装置の一部に窓が設けられ、装着されているＵＩＭカードの内容を携帯装置の外側から確認可能となっている状態を示す斜視図である。
【００１２】
図１を参照してＵＩＭカードと、本発明の安全カバー付き携帯装置のＵＳＢポート接続用凸状端子を安全カバーが覆っている状態の一実施形態について説明する。
図１において、携帯装置１にはＵＳＢポート接続用凸状端子（以下ＵＳＢコネクタという。）が接続されている。携帯装置本体（１）の中には図示しないが、ＵＩＭカード４の読み取り用の接点が設けられておりＵＩＭカード４がスロット１１から挿入され、所定の位置に到達すると前記ＵＩＭカード４の読み取り用の接点がＩＣモジュール４１の外部端子のそれぞれ分割された端子に接続する。
【００１３】
前記ＵＩＭカード４の読み取り用の接点は、制御用回路（図示せず）を介してＵＳＢコネクタ３に接続されている。
ＵＩＭカード４の表面には、ＵＩＭカード４がアプリケーションＡに使用されるカードである旨の内容４２が表示されている。
図９で説明するが、携帯装置本体の一部に窓が形成され、ＵＩＭカード４が携帯装置本体に装着された状態で前記カードの内容４２の表示部分  が視認されるようになっている。
【００１４】
ＵＩＭカード４をスロットから挿入すると安全カバー２が安全カバーの固定部１４を支点として回転して、スロット１１を覆うようになっている。
安全カバー２は、ＵＩＭカード４が装着される前はＵＳＢコネクタ３を覆うように配置される。
安全カバー２は、ＵＩＭカード４が挿入されると自動的に回転を開始して、ＵＩＭカード４の挿入が完了した時点で１８０度回転してスロット１１を覆う状態になる。
また、安全カバー２は手動で回転させることも可能で、ＵＩＭカード４が挿入完了した時点で、手動でスロット部を覆うように回転することができる。
【００１５】
ＵＩＭカード４は、完全にスロットに吸い込まれた状態で挿入が完了しても、一部ＵＩＭカードの端部を残して挿入が完了してもよい。
本発明の携帯装置は、ＵＩＭカードを差し替えることが出来ることを特徴としており挿入されたＵＩＭカードは、差し替え時自動的に、または、手動により排出される。挿入されたＵＩＭカードをどの時点で引き抜くかは自由であるが、携帯装置１が外部装置のＵＳＢポートから引き抜かれ、安全カバーがＵＳＢコネクタ３側に移動した時点で行なわれるのが好ましい。
【００１６】
ＵＩＭカード４は、本実施の形態では接触型カードとして説明しているが、非接触型のＩＣカードであってもよい。非接触型カードの場合は、ＵＩＭカード内にアンテナコイルを内蔵し、また、携帯装置の内側、ＵＩＭカードが停止する位置に合わせてアンテナを設ければよい。
ＩＣカードが上述のように非接触型のＩＣカードの場合も携帯装置のスロットからカードが挿入された時に停止位置でカードが固定されるように、携帯装置の内側に抑えバネのような部品を取り付けても良い。
また、安全カバーが回転してスロットを覆うように移動した時に、スロットからはみ出して停止状態になっているＵＩＭカードの端部を抑えるように安全カバーに抑え部品を取り付けても良い。
【００１７】
図１では、説明し易くするために安全カバー２を透明状態にしているが、安全カバーの材質は透明な材料に拘るものではない。
【００１８】
図２、図３、図４を参照してＵＩＭカード４が挿入されると安全カバー２が回転して、ＵＳＢコネクタ３を覆っている状態から、スロット１１にＵＩＭカード４が挿入された部分を自動的に覆うプロセスについて説明する。
【００１９】
図２において、ＵＩＭカード４が携帯装置１のスロット１１に挿入される。
この時点までは安全カバー２は、ＵＳＢコネクタ３を覆った状態になっている。
安全カバー２は、携帯装置の安全カバー固定部１４で固定されており、安全カバー固定部１４の軸の回転に合わせて図２の右側に回転するようになっている。
安全カバー固定部１４は、ＵＩＭカード４が挿入されると右側に回転するようになっている。
【００２０】
図３で解るように、ＵＩＭカード４が長辺方向に１／２程度まで挿入されると、前述の安全カバー固定部１４は、回転して安全カバー２を９０度の位置まで移動させる。
【００２１】
図４に示すように更にＵＩＭカード４を挿入すると安全カバー２は右側に回転し、ＵＩＭカードがスロット１１の終点まで到達すると安全カバー２は図４に示す位置に移動して停止する。
安全カバー２は、図３の状態から図４の状態になる途中の段階で、フリーの状態となり、最後は自重で移動し図４の状態になる。
【００２２】
安全カバー２が回転して、図２の状態から図４に示すような状態になると、ＵＳＢコネクタ３は覆いから開放されて露出状態になる。
この状態で、ＵＳＢコネクタ３は、外部装置のＵＳＢポートの接続部に接続可能な状態になる。
図４で解るように、携帯装置１が外部装置のＵＳＢポートの接続部に接続された状態では携帯装置本体に装着されたＵＩＭカード４は安全カバーに覆われているために取り外すことができない。
【００２３】
図５、図６、図７、図８を参照してＵＩＭカードと、本発明の安全カバー付き携帯装置の他の実施形態について説明する。
【００２４】
図５において、携帯装置１にはＵＳＢコネクタ３が接続されている。携帯装置本体（１）の中には図示しないが、ＵＩＭカード４の読み取り用の接点が設けられており、ＵＩＭカード４がスロット１２から挿入され、所定の位置に到達すると前記ＵＩＭカード４の読み取り用の接点がＩＣモジュールの外部端子のそれぞれ分割された端子に接続する。
前記ＵＩＭカード４の読み取り用の接点は、制御用回路（図示せず）を介してＵＳＢコネクタ３に接続されている。
ＵＩＭカード４の表面には、ＵＩＭカード４がアプリケーションＡに使用されるカードである旨の内容が表示されている。
【００２５】
ＵＩＭカード４をスロットから挿入すると安全カバー２０が安全カバーの固定部１５を伝い、溝２２に沿って移動し、スロット１２を覆うようになっている。
安全カバー２０は、ＵＩＭカード４が装着される前はＵＳＢコネクタ３を覆うように配置される。また、安全カバー２０の両端は開放状態になっている。
安全カバー２０は、ＵＩＭカード４が挿入されると自動的に移動を開始して、ＵＩＭカード４の挿入が完了した時点でスロット１２の全面または、一部を覆う状態になる。
また、安全カバー２０を手動で移動させることも可能で、ＵＩＭカード４の挿入が完了した時点で、手動で移動させ、スロット１２を覆うようにすることもできる。
【００２６】
本発明の携帯装置は、ＵＩＭカードを差し替えることが出来ることを特徴としており挿入されたＵＩＭカードは差し替え時自動的に、または、手動により排出される。
挿入されたＵＩＭカードがどの時点で引き抜かれてもよいが、携帯装置１が外部装置のＵＳＢポートから引き抜かれ、安全カバーがＵＳＢコネクタ側に移動した時点で行なわれるのが好ましい。
【００２７】
ＵＩＭカード４は、本実施の形態では接触型カードとして説明しているが、非接触型のＩＣカードであってもよい。
非接触型カードの場合は、ＵＩＭカード内にアンテナコイルを内蔵し、携帯装置の内側、ＵＩＭカードが停止する位置に合わせてアンテナを設ければよい。
上記非接触型のＩＣカードであっても携帯装置のスロットからカードが挿入された時に停止位置でカードが固定されるように、携帯装置の内側に抑えバネのような部品を取り付ける。
【００２８】
図５、図６では、説明し易くするために安全カバー２０を透明状態で図示しているが、安全カバーの材質は透明な材料に拘るものではない。
【００２９】
図６は、携帯装置本体から安全カバー２０を取り外した状態を示している。
安全カバー２０には、携帯装置本体１の安全カバー固定部１５に沿って移動させるための溝２２及び、ＵＩＭカード４を覆い隠すための溝２１が形成されている。
安全カバー２０の左右は開放状態になっていても良いし、ＵＳＢコネクタ側にストッパーを形成しても良い。
【００３０】
図７、図８を参照して、ＵＩＭカード４を挿入した後、安全カバー２０が移動して、スロット１２の部分が自動的に覆われるプロセスについて説明する。
【００３１】
図７において、ＵＩＭカード４が携帯装置１のスロット１２に挿入される。
この時点までは安全カバー２０は、ＵＳＢコネクタ３を覆った状態になっている。
安全カバー２０は、携帯装置の安全カバー固定部１５を伝って移動するようになっており、安全カバー２０に形成された溝２２に沿って図７の右側に移動するようになっている。
安全カバー固定部１５は、ＵＩＭカード４が挿入されると右側に移動するようになっている。
【００３２】
図８に示すように、更にＵＩＭカード４を挿入すると安全カバー２０は右側に移動し、ＵＩＭカード４が終点まで到達すると図８に示す位置に移動して停止する。
安全カバー２０は、図７の状態から図８に示すような状態になると、ＵＳＢコネクタ３は覆いから開放されて露出状態になる。
この状態で、ＵＳＢコネクタ３は、外部装置のＵＳＢポートに接続可能な状態になる。
図８で解るように、携帯装置１が外部装置のＵＳＢポートに接続された状態では携帯装置本体に装着されたＵＩＭカード４は、安全カバー２０に部分的または、全面的に覆われているためにスロットから取り外すことができない。
【００３３】
図９を参照して携帯装置の一部に設けられた窓について説明する。
図９において携帯装置１にはＵＳＢコネクタ３が接続されている。携帯装置本体の中には図示しないが、ＵＩＭカード４の読み取り用の接点が設けられておりＵＩＭカード４がスロット１２から挿入され、所定の位置に到達すると、前記ＵＩＭカード４の読み取り用の接点がＩＣモジュールの外部端子に接続する。
ＵＩＭカード４を読み取るための接点は、制御用回路（図示せず）を介してＵＳＢコネクタ３に接続されている。
ＵＩＭカード４をスロット１２から挿入すると安全カバー２０は、自動的に移動を開始して、ＵＩＭカード４の挿入が完了した時点でスロット１２の全面または、一部を覆う状態になる。
携帯装置１には窓が明けられていて挿入されたＵＩＭカード４の一部が外から見えるようになっている。
ＵＩＭカード４の表面には、ＵＩＭカード４がアプリケーションＡに使用されるカードである旨の内容が表示されている。
【００３４】
携帯装置１の窓１３は、携帯装置の一部をくり貫くことによって設けることができ、また、この窓に透明な材料を嵌め込んでカバーしてもよい。
また、携帯装置の材質そのものを透明なプラスチックで成形しても良い。
【００３５】
【発明の効果】
１）少なくとも外部装置と接続する凸状端子と、小型ＩＣカードを着脱するためのスロットと、移動可能に取りつけられたカバーと、を備えた携帯装置であって、前記小型ＩＣカードを前記スロットに挿入し所定の位置に固定した後、前記カバーを移動させてスロットの入口の一部、または全部を遮蔽すると、前記カバーで覆われていた前記凸状端子が露出し、外部装置と接続可能な状態になることによって、また、前記小型ＩＣカードを前記スロットに挿入し、小型ＩＣカードが所定の位置に到達すると前記カバーは自動的に移動してスロットの入口の一部、または、全部を遮蔽し、前記カバーで覆われていた前記凸状端子が外部装置と接続可能な状態になることによって、小型ＩＣカードを差し替えて使用することが可能となり、携帯面、コスト面でメリットが大きい。
また、安全カバーによって外部装置に接続中は、小型ＩＣカードを差し替えることができず、アプリケーション毎のセキュリティ対策を簡便に行なうことができる。
２）携帯装置の一部を透明とすることによって、または、一部に窓を設けることによって装置に装着している小型ＩＣカードがどのようなカードなのかを外から視認することができ、装着違いを未然に防ぐことができる。
【図面の簡単な説明】
【図１】ＵＩＭカードと、本発明の安全カバー付き携帯装置のＵＳＢポート接続用凸状端子を安全カバーが覆っている状態の一実施形態を示す斜視図である。
【図２】本発明の安全カバー付き携帯装置のスロットにＵＩＭカードを挿入する前の状態の一実施形態を示す斜視図である。
【図３】図２の状態から安全カバーが９０度跳ね上がった状態を示す斜視図である。
【図４】図３の状態から更に進んで、携帯装置へのＵＩＭカードの装着が完了した状態を示す斜視図である。
【図５】ＵＩＭカードと、本発明の安全カバー付き携帯装置のＵＳＢ接点を安全カバーが覆っている状態の他の一実施形態を示す斜視図である。
【図６】図５の安全カバーについて説明するための図である。
【図７】図５の携帯装置のスロットにＵＩＭカードを挿入する状態を示す斜視図である。
【図８】図７の状態から更に進んで、携帯装置へのＵＩＭカードの装着が完了した状態を示す斜視図である。
【図９】図５に示す携帯装置の一部に窓が設けられ、装着されているＵＩＭカードの内容を携帯装置の外側から確認可能となっている状態を示す斜視図である。
【符号の説明】
１      携帯装置
１１，１２  スロット
１３    窓
１４，１５  安全カバー固定部
２，２０  安全カバー
２１，２２  溝
３      ＵＳＢコネクタ（ＵＳＢポート接続用凸状端子）
４      ＵＩＭカード（小型ＩＣカード）
４１    ＩＣモジュール
４２    ＵＩＭカードの内容表示
【図１】
2004280639.tif 000003
【図２】
2004280639.tif 000004
【図３】
2004280639.tif 000005
【図４】
2004280639.tif 000006
【図５】
2004280639.tif 000007
【図６】
2004280639.tif 000008
【図７】
2004280639.tif 000009
【図８】
2004280639.tif 000010
【図９】
2004280639.tif 000011